(57)【要約】      （修正有）【課題】特別な加工を施すことなく市販の布やフィルター素材を使用することを可能とするマスクを提供する。【解決手段】矩形の布やフィルター素材１を折り紙のように切り込みを入れることなくマスクとして使用できる形とするため、耳掛け紐４とフェイスシールド５を固定できるクリップ２で素材のコーナー部を折り、固定するとともに、二つ折りした素材のコーナーをピンチ３で挟み固定することで顔に密接する立体形状になる。クリップは眼鏡式アームと一体の形状のクリップ２ａとすることもでき、マスクの装着し易さを高めることもできる。フェイスシールドは特別な型抜きを要しない矩形の透明プラスチック板などをクリップに差し込んで使うことができ、防御性の高い保護具を特別な習熟、技能を要さずに作成することが可能となる。【選択図】図１
0003233671.tif 000002
【実用新案登録請求の範囲】
【請求項１】
矩形のマスク素材（布または不織布フィルターなど）を、そのコーナー部で内側（顔側）に折り合わせるとともに中心部（鼻部）の折り目上部を斜めに挟むことで立体形状となるマスク。
【請求項２】
請求項1のマスクに於いて、矩形の布、フィルター用不織布などの角を折り、左右の上下それぞれを合わせ、挟んで固定するためのクリップと、同じく中心上部を折り挟み固定するピンチによって構成され、耳掛け紐、フェイスシールドを取り付けることのできることを特徴とするマスク用クリップ、ピンチセット。
【考案の詳細な説明】
【技術分野】
【０００１】
本考案は、立体形状マスクを作成する方法と組み立て固定具に関するものである。
【背景技術】
【０００２】
感染防止などを目的としたマスクはその防御効果を上げるため、息洩れを抑える目的で顔に密接する立体形状とすることがあり、特許文献２、４、５などのように、その多くがフィルターの立体縫製やプレス成型によるものである。
【０００３】
これらのマスクは広く流通させる必要性もあり、大量生産により商品価格を抑えて提供されるのが一般的であるが、感染症蔓延などで供給が滞り、調達が困難になると、消費者自らマスクを作り、代用とすることもある。その際に利用される布、フィルターなどの素材は完成品と比して非常時でも購入可能なものが多い一方、マスクを手作りするためには縫製などの作業が必要なことから容易に作り得ない側面もある。
【０００４】
通常は潤沢に流通するものが使えなくなる事態に備え、手近な材料を使ってマスクを簡単に作ることができれば感染防止に有効である。
【０００５】
マスクを手作りする際に、耳掛け紐をピンチで簡単に本体に取り付け、手近な布をマスクとして使用できるようにするものなどもあり、マスクを立体形状に保持するための器具としては特許文献１、３、５などの事例があるものの、簡単な器具で単純形状の布などから立体マスクを構成するものは見当たらない。  
【先行技術文献】
【特許文献】
【０００６】
【特許文献１】特許公報  特許第６７８０１５０号  マスク用補助具
【特許文献２】特許公報  実登３２２７４５５  立体マスク
【特許文献３】特許公報  実登３２２１７９８  マスク形状保持具及びマスク
【特許文献４】特許公報  実登３２０７５３４  立体マスク
【特許文献５】特許公報  実登３２０７８４２  立体マスク
【特許文献６】特許公報  特開２０１１−２４４８５８  マスク補助具
【考案の概要】
【考案が解決しようとする課題】
【０００７】
解決しようとする問題点は、立体裁断、縫製、成型などに依らず、単純な矩形形状の布や不織布フィルターなどを立体形状として保持しマスクとして使用できるようにすることである。
【課題を解決するための手段】
【０００８】
本考案は、矩形（例えば１２．５ｃｍ×２５ｃｍの長方形）の布、不織布フィルターなどを裁断することなくそのまま用い、顔の口、鼻周りにフィットさせるため、折り合わせて固定する左右一対のクリップと、中心で折り合わせ、斜めに挟むピンチにより、立体的なマスクを作成できることができることを特徴とする。
【考案の効果】
【０００９】
矩形の布などをそのコーナーで内側に折り合わせることで、鼻、頬、顎を結ぶ菱形の縁が顔の凹凸に沿い、息洩れを抑えることができる。
折り合わせ部分をクリップ、ピンチセットを用い固定することで、任意の布、不織布フィルターなどを特別な加工を施すことなく立体形状マスクとして利用することができる。布の場合は様々な柄のプリントや織を活かせば個性的なデザインのマスクになる。クリップには耳掛け紐を取り付けることができるが、同時にフェイスシールドを固定すれば、より防御性の高い保護具となる。クリップに眼鏡式のアームを一体成形すれば、耳掛け紐は不要となり、脱着し易いマスクになる。
【図面の簡単な説明】
【００１０】
【図１】図１はクリップ、ピンチによって立体形状としたマスクに耳掛け紐、フェイスシールドを取り付けた組立図である。（実施例１）
【図２】図２は布、不織布フィルターなどを折り、クリップ、ピンチで固定する方法を示した説明図である。（実施例２）
【図３】図３は試作品の形状と組立手順を示す図面代用写真である。（実施例３）
【考案を実施するための形態】
【００１１】
布、不織布フィルターなどを簡単に立体形状のマスクとして使用できるようにすることを樹脂成形部品のクリップ２個、ピンチ１個で可能とした。
【実施例１】
【００１２】
図１は、  マスク素材１をクリップ２とピンチセット３で立体形状に保持し、クリップには耳掛け紐４とフェイスシールド５を挟み固定した状態と、クリップの別形状として眼鏡式アームと一体のもの２ａを示すものである。
【実施例２】
【００１３】
図2は、マスク素材１の折り方（表面と裏面）と、クリップ２とピンチセット３の形状を示すものである。
【実施例３】
【００１４】
図３は、不織布フィルター（１２．５ｃｍ×２５ｃｍ）と３Ｄプリンターによるクリップ、ピンチセット試作品、フェイスシールド、耳掛け紐を組み立てる手順を示すものである。
【産業上の利用可能性】
【００１５】
射出成形部品のクリップ、ピンチのばね性を活かし、布や不織布フィルターなどを挟んで保持することでマスクとして適当な立体形状を形成し、かつ耳掛け紐、フェイスシールドなどを簡単に固定できることから防御性の高い保護具を提供できる。
【符号の説明】
【００１６】
１  マスク素材（布または不織布フィルターなど）
２  クリップ
２ａ  眼鏡式アームと一体のクリップ
３  ピンチセット
３−１  ピンチ
３−２  ピンチホルダー
４  耳掛け紐
５  フェイスシールド
【図１】
0003233671.tif 000003
【図２】
0003233671.tif 000004
【図３】
0003233671.tif 000005
【手続補正書】
【提出日】令和3年6月22日(2021.6.22)
【手続補正１】
【補正対象書類名】実用新案登録請求の範囲
【補正対象項目名】請求項２
【補正方法】変更
【補正の内容】
【請求項２】
請求項１のマスク形状を保持するため、マスク素材側辺に差し込み、マスク素材の角を内側に折り込み挟んで固定するためのスリットと、ループ状にした耳掛け紐を引っ掛けるとともにフェイスシールド（図1の５）の端を挿入して固定できるタブを有するクリップ（図１の２、図2の２）、並びにマスク素材の中心部上辺を三角形に折り合わせて挟むスリットを持つピンチ（図1の３、図2の３−１）とそれに勘合し、マスク素材が抜けないように保持するホルダー（図2の３−２）によって構成されるピンチセット。